(57)【要約】【課題】従来技術と比べて大幅なコストダウンが図れ、またソフトウェアの設定ミスを犯すことがなく、また回線の切り替えや障害発生等が発生しても短時間で復旧させることが可能な伝送路インタフェース及び回線切り替え方法を提供する。【解決手段】接続される１２０Ω系の回線と７５Ω系の回線のうち、１２０Ω系の回線を扱い、ＬＩＵ２３には１２０Ω用のソフトウェアを設定し、７５Ω系の回線に対してはインピーダンス変換器２５Ａ、２５Ｂを用いてインピーダンス変換して１２０Ωに対応できるようにする。そして、接続される１２０Ω系の回線と７５Ω系の回線を切り替えて、受信レベルとクロック信号の有無から回線の接続の有無を判定し、接続された回線に伝送路を切り替える。【選択図】図１
2006173719.tif 000002
【特許請求の範囲】
【請求項１】
インピーダンスの異なる複数の回線を装置に接続するための伝送路インタフェースにおいて、
前記装置に接続される前記複数の回線のうち、選択した１つの回線以外の回線夫々に対して前記選択した１つの回線のインピーダンスに適合させるインピーダンス変換手段と、
接続される回線毎に設けた伝送路を１つずつ切り替えて回線の接続の有無を判定する判定手段と、
前記判定手段による判定結果から、接続された回線に伝送路を切り替える切り替え手段と、
を備える伝送路インタフェース。
【請求項２】
１２０Ω系の回線と７５Ω系の回線を装置に接続するための伝送路インタフェースにおいて、
前記装置に接続される前記１２０Ω系又は７５Ω系の回線のうち、選択しなかった方の回線に対して選択した方の回線のインピーダンスに適合させるインピーダンス変換手段と、
前記１２０Ω系の回線の伝送路と前記７５Ω系の回線の伝送路を切り替えて回線の接続の有無を判定する判定手段と、
前記判定手段による判定結果から、接続された回線に伝送路を切り替える切り替え手段と、
を備える伝送路インタフェース。
【請求項３】
移動体通信システムの基地局に設けられる基地局装置において、
請求項１又は請求項２に記載の伝送路インタフェースを備える基地局装置。
【請求項４】
信号の入出力用として、インピーダンスの異なる少なくとも２つの回線を接続可能な測定装置において、
請求項１又は請求項２に記載の伝送路インタフェースを備える測定装置。
【請求項５】
装置に接続されるインピーダンスの異なる複数の回線を択一的、もしくは選択的に切り替える回線切り替え方法において、
前記複数の回線のうち、選択した１つの回線のインピーダンスに統一し、残りの他の全ての回線夫々については、前記選択した１つの回線のインピーダンスに適合するようにインピーダンス変換し、前記全ての回線夫々に対して回線接続の有無を判定して、接続された回線に切り替える回線切り替え方法。
【発明の詳細な説明】
【技術分野】
【０００１】
本発明は、伝送路インタフェース及び回線切り替え方法に関する。
【背景技術】
【０００２】
従来、ＡＴＭ（Asynchronous Transfer Mode、非同期転送モード）規格のなかには、２Ｍ（Ｅ１）回線の規格ＩＴＵ（International Telecommunication Union、国際電気通信連合）‐Ｔ．Ｇ７０３があり、この規格では１２０Ω系と７５Ω系の２種類のインピーダンス規定がされている。それぞれのコネクタは１２０Ω系のＲＪ４５コネクタと７５Ω系のＢＮＣコネクタとなっている。なお、上記２Ｍとはクロック周波数が２ＭＨｚであることを示している。
【０００３】
図２は、携帯電話等の移動体通信システムの基地局装置に用いられている伝送路インタフェース５０の概略構成を示すブロック図である。この図に示す伝送路インタフェース５０は、１回線用のものであり、１２０Ω系と７５Ω系のインピーダンスの異なる２種類のインタフェース１０Ａ、１０Ｂを備えている。１２０Ω系と７５Ω系は、それぞれ出力インピーダンスやコネクタが標準規格にて規定されていることにより、１２０Ω系のインタフェースと７５Ω系のインタフェースで別基板としている。
【０００４】
なお、１回線用はインタフェース１０Ａ、１０Ｂをそれぞれ１枚備える構成を採るが、例えば２回線用ではそれぞれが倍の枚数を採ることになる。すなわち、１２０Ω系のインタフェース１０Ａが２枚、７５Ω系のインタフェース１０Ｂが２枚となる。これらのインタフェース１０Ａ、１０Ｂは、基地局全体を制御する装置制御部３０にて制御される。
【０００５】
１２０Ω系のインタフェース１０Ａは、伝送路制御部１１Ａ、受信レベル判定部１２Ａ、ＬＩＵ（Line Interface Unit）１３Ａ、２個のパルストランス１４Ａ、２個のサージ保護回路１５Ａ及び送受信共用のＲＪ４５コネクタ１６を備えている。７５Ω系のインタフェース１０Ｂは、伝送路制御部１１Ｂ、受信レベル判定部１２Ｂ、ＬＩＵ１３Ｂ、２個のパルストランス１４Ｂ、２個のサージ保護回路１５Ｂ、送信用と受信用のＢＮＣコネクタ１７Ｂ１、１７Ｂ２を備えている。
【０００６】
１２０Ω系のインタフェース１０ＡのＬＩＵ１３Ａには、伝送路制御部１１Ａによって１２０Ω用のソフトウェアの設定が行われる。７５Ω系のインタフェース１０ＢのＬＩＵ１３Ｂには、伝送路制御部１１Ｂによって７５Ω用のソフトウェアの設定が行われる。１２０Ω系のインタフェース１０Ａの伝送路制御部１１Ａ及び７５Ω系のインタフェース１０Ｂの伝送路制御部１１Ｂは、それぞれ主にＣＰＵで構成され、ＬＩＵ１３Ａ、１３Ｂに受信レベルの検出を行わせ、その結果を受信レベル判定部１２Ａ、１２Ｂに入力させる。受信レベル判定部１２Ａ、１２Ｂは、ＬＩＵ１３Ａ、１３Ｂから入力される受信レベル検出結果に基づいて、接続される回線の有無を判定する。
【０００７】
これらのインタフェース１０Ａ、１０Ｂは、接続される回線に応じていずれか一方が使用される。すなわち、接続される回線が１２０Ωであればインタフェース１０Ａが使用され、接続される回線が７５Ωであればインタフェース１０Ｂが使用される。
【０００８】
なお、所定の伝送路の異常時に別の正常な伝送路に切り替えるようにした技術も提案されている（例えば、特許文献１参照）。
【０００９】
【特許文献１】特開２００１−１６８８９０号公報
【発明の開示】
【発明が解決しようとする課題】
【００１０】
しかしながら、従来の伝送路インタフェースにおいては、以下のような問題がある。
（１）インピーダンスが異なるコネクタを使用する関係上、異なるインタフェース基板をそれぞれ装置に実装する必要があり、購入コストが必要になる。上記の例では、１２０Ω系のインタフェース１０Ａの基板と７５Ω系のインタフェース１０Ｂの基板をそれぞれ実装することになり、２枚の基板が必要となる。
【００１１】
（２）コネクタの変更に伴ってインタフェース基板を変更した場合、ＬＩＵに、インピーダンスに見合ったソフトウェアを設定する必要があるため、誤って異なるインピーダンスのソフトウェアをインストールしてしまう虞がある。
【００１２】
（３）回線の切り替えや障害発生等で１２０Ω系と７５Ω系の切り替えを行う際に、回線の切り替えや障害復旧までの時間がかかる。
【００１３】
本発明は、係る事情に鑑みてなされたものであり、インピーダンスが異なるコネクタに対応してインタフェース基板を実装する必要がなく、またＬＩＵにはインピーダンスの異なるコネクタを使用する毎にそのインピーダンスに見合ったソフトウェアを設定する必要がなく、また回線の切り替えや障害発生等が発生しても短時間で復旧させることができる伝送路インタフェース及び回線切り替え方法を提供することを目的とする。
【課題を解決するための手段】
【００１４】
本発明の目的は、下記構成及び方法により達成される。
【００１５】
（１）  インピーダンスの異なる複数の回線を装置に接続するための伝送路インタフェースにおいて、前記装置に接続される前記複数の回線のうち、選択した１つの回線以外の回線夫々に対して前記選択した１つの回線のインピーダンスに適合させるインピーダンス変換手段と、接続される回線毎に設けた伝送路を１つずつ切り替えて回線の接続の有無を判定する判定手段と、前記判定手段による判定結果から、接続された回線に伝送路を切り替える切り替え手段と、を備える。
【００１６】
（２）  １２０Ω系の回線と７５Ω系の回線を装置に接続するための伝送路インタフェースにおいて、前記装置に接続される前記１２０Ω系又は７５Ω系の回線のうち、選択しなかった方の回線に対して選択した方の回線のインピーダンスに適合させるインピーダンス変換手段と、前記１２０Ω系の回線の伝送路と前記７５Ω系の回線の伝送路を切り替えて回線の接続の有無を判定する判定手段と、前記判定手段による判定結果から、接続された回線に伝送路を切り替える切り替え手段と、を備える。
【００１７】
（３）  移動体通信システムの基地局に設けられる基地局装置において、上記（１）又は（２）に記載の伝送路インタフェースを備える。
【００１８】
（４）  信号の入出力用として、インピーダンスの異なる少なくとも２つの回線を接続可能な測定装置において、上記（１）又は（２）に記載の伝送路インタフェースを備える。
【００１９】
（５）  装置に接続されるインピーダンスの異なる複数の回線を択一的に切り替える回線切り替え方法において、前記複数の回線のうち、選択した１つの回線のインピーダンスに統一し、残りの他の全ての回線夫々については、前記選択した１つの回線のインピーダンスに適合するようにインピーダンス変換し、前記全ての回線夫々に対して回線接続の有無を判定して、接続された回線に切り替える。
【発明の効果】
【００２０】
上記（１）に記載の伝送路インタフェースによれば、インピーダンスが異なる複数の回線夫々に対してインタフェース基板を実装する必要がなく、１つのインタフェース基板でインピーダンスが異なる複数の回線夫々に対応でき、また選択した１つの回線のインピーダンスに統一することから、そのインピーダンスに見合ったソフトウェアのみの設定で済み、従来技術と比べて大幅なコストダウンが図れるとともに、ソフトウェア設定ミスを犯すことがない。また、１つのインタフェース基板でインピーダンスが異なる複数の回線に対応できることから、回線の切り替えや障害発生等が発生しても短時間で復旧させることが可能となる。
【００２１】
上記（２）に記載の伝送路インタフェースによれば、１２０Ω系の回線と７５Ω系の回線夫々に対してインタフェース基板を実装する必要がなく、１つのインタフェース基板で１２０Ω系と７５Ω系に対応でき、また選択した１つの回線のインピーダンスに統一することから、そのインピーダンスに見合ったソフトウェアのみの設定で済み、従来技術と比べて大幅なコストダウンが図れるとともに、ソフトウェア設定ミスを犯すことがない。また、１つのインタフェース基板でインピーダンスが異なる複数の回線に対応できることから、回線の切り替えや障害発生等が発生しても短時間で復旧させることが可能となる。
【００２２】
上記（３）に記載の基地局装置によれば、上記（１）又は（２）の伝送路インタフェースを備えているので、コストダウンが図れ、またソフトウェア設定ミスを犯すことがなく、さらに回線の切り替えや障害発生等が発生しても短時間で復旧させることが可能となる。
【００２３】
上記（４）に記載の測定装置によれば、上記（１）又は（２）の伝送路インタフェースを備えているので、コストダウンが図れ、またソフトウェア設定ミスを犯すことがなく、さらに回線の切り替えや障害発生等が発生しても短時間で復旧させることが可能となる。
【００２４】
上記（５）に記載の回線切り替え方法によれば、インピーダンスが異なる複数の回線夫々に対してインタフェース基板を実装する必要がなく、１つのインタフェース基板でインピーダンスが異なる複数の回線夫々に対応でき、また選択した１つの回線のインピーダンスに統一することから、そのインピーダンスに見合ったソフトウェアのみの設定で済み、従来技術と比べて大幅なコストダウンが図れるとともに、ソフトウェア設定ミスを犯すことがない。また、１つのインタフェース基板でインピーダンスが異なる複数の回線に対応できることから、回線の切り替えや障害発生等が発生しても短時間で復旧させることが可能となる。
【発明を実施するための最良の形態】
【００２５】
以下、本発明を実施するための好適な実施の形態について、図面を参照して詳細に説明する。
【００２６】
図１は、本発明の一実施の形態に係る伝送路インタフェースの概略構成を示すブロック図である。なお、この図において、上述した図２の伝送路インタフェース５０と共通する部分には同じ符号を付けてその説明を省略する。
【００２７】
図１において、本実施の形態の伝送路インタフェース１００は、２Ｍ（Ｅ１）回線の規格ＩＴＵ‐Ｔ．Ｇ７０３等で規定されている１２０Ω系と７５Ω系の両方に対応する１つの基板からなり、２つのパルストランス１４、４つのサージ保護回路１５、１２０Ω系のＲＪ４５コネクタ１６及び７５Ω系のＢＮＣコネクタ１７Ａ、１７Ｂの既存と同一の構成の他に、既存構成と同じであるものの機能の異なる伝送路制御部２０、受信レベル判定部２１及びＬＩＵ２３を備える一方、新たに伝送路切替制御部２２と２つの２回路切替スイッチ２４と２つのインピーダンス変換器２５Ａ、２５Ｂを備えている。
【００２８】
ＬＩＵ２３の送信側にはパルストランス１４、２回路切替スイッチ２４が順次接続されており、２回路切替スイッチ２４の一方の出力端子側にはサージ保護回路１５と１２０Ω系のＲＪ４５コネクタ１６が順次接続され、他方の出力端子側にはインピーダンス変換器２５Ａ、サージ保護回路１５、７５Ω系の送信側のＢＮＣコネクタ１７Ａが順次接続されて、２回路切替スイッチ２４の切り替え動作によって１２０Ω系のＲＪ４５コネクタ１６と７５Ω系のＢＮＣコネクタ１７Ａのいずれか一方が選択されるようになっている。
【００２９】
また、ＬＩＵ２３の受信側にも送信側と同様に、パルストランス１４、２回路切替スイッチ２４が順次接続されており、２回路切替スイッチ２４の一方の出力端子側にはサージ保護回路１５と１２０Ω系のＲＪ４５コネクタ１６が順次接続され、他方の出力端子側にはインピーダンス変換器２５Ｂ、サージ保護回路１５、７５Ω系の受信側のＢＮＣコネクタ１７Ｂが順次接続されていて、２回路切替スイッチ２４の切り替え動作によって１２０Ω系のＲＪ４５コネクタ１６と７５Ω系のＢＮＣコネクタ１７Ｂのいずれか一方が選択されるようになっている。
【００３０】
２つの２回路切替スイッチ２４は、それぞれ伝送路切替制御部２２からの切替信号に従って切り替え動作を行う。ＬＩＵ２３には、当該ユニット２３を１２０Ω用として使用するための設定がソフトウェアにより設定される。伝送路制御部２０は、ＬＩＵ２３、受信レベル判定部２１及び伝送路切替制御部２２を制御する。伝送路制御部２０の制御の詳細については後述する。
【００３１】
インピーダンス変換器２５Ａは、１２０Ωから７５Ωにインピーダンス変換を行い、インピーダンス変換器２５Ｂは、７５Ωから１２０Ωにインピーダンス変換を行う。これらのインピーダンス変換器２５Ａ、２５Ｂにより、本実施の形態の伝送路インタフェース１００は、１２０Ωに統一した動作を行うことが可能となり、ＬＩＵ２３には１２０Ωのソフトウェア設定のみ設定されれば良く、伝送路制御部２０には、１２０Ωのソフトウェアのみインストールすれば良いことになる。
【００３２】
受信レベル判定部２１は、伝送路制御部２０からの指令に従ってＬＩＵ２３で検出された受信レベルから、接続される回線の有無を判定する。すなわち、受信レベルが伝送路制御部２０から設定される閾値以上あってその中からクロック信号を抽出できれば、回線が接続されているものと判定する。他方、受信レベルが設定された閾値未満か、あるいは受信レベルが設定された閾値以上あってもクロック信号を抽出できなければ、回線は接続されていないと判定する。例えば、現在２つの２回路切替スイッチ２４が図に示すように７５Ω系に切り替えられている状態で受信レベルを検出し、受信レベルが設定された閾値以上あってクロック信号を抽出できた場合には７５Ω系への接続が行われていることが分かり、２つの２回路切替スイッチ２４の状態はそのままとなる。
【００３３】
これに対して、受信レベルが設定された閾値未満か、あるいは受信レベルが設定された閾値以上あってもクロック信号を抽出できなければ、７５Ω系への接続が行われていないものとして、２つの２回路切替スイッチ２４をそれぞれ１２０Ω側に切り替える。１２０Ω系に切り替えた後、受信レベルが設定された閾値以上あってクロック信号を抽出できた場合には１２０Ω系への接続が行われていることが分かる。受信レベルが設定された閾値未満か、あるいは受信レベルが設定された閾値以上あってもクロック信号を抽出できなければ、１２０Ω系への接続も行われていないと判定する。このように、受信レベルの大きさと、クロック信号の有無によって７５Ω系と１２０Ω系の切り替えを行う。２つの２回路切替スイッチ２４の切り替えは伝送路切替制御部２２が伝送路制御部２０からの指令に従って行う。
【００３４】
次に、上記構成の伝送路インタフェース１００の動作について説明する。伝送路制御部２０は、装置起動時に、ＬＩＵ２３に１２０Ω系の設定を行い、次いで伝送路切替制御部２２に指令を与えて２つの２回路切替スイッチ２４を１２０Ω系に切り替える。１２０Ω系への切り替えを行った後、ＬＩＵ２３で受信レベルの検出を行わせ、その結果を受信レベル判定部２１に入力させる。そして、受信レベル判定部２１の判定結果を取り込む。
【００３５】
１２０Ω系における受信レベルの検出及び判定を行った後、次に７５Ω系に切り替えて同様の処理を行う。すなわち、伝送路切替制御部２２に指令を与えて２つの２回路切替スイッチ２４を７５Ω系に切り替える。７５Ω系への切り替えを行った後、ＬＩＵ２３で受信レベルの検出を行わせ、その結果を受信レベル判定部２１に入力させる。そして、受信レベル判定部２１の判定結果を取り込む。
【００３６】
７５Ω系における受信レベルの検出及び判定を行った後、１２０Ω系における判定結果と７５Ω系における判定結果とからＬＩＵ２３に接続されている回線を特定し、その回線に合う系になるように伝送路切替制御部２２に指令を与えて２つの２回路切替スイッチ２４の切り替えを行う。１２０Ω系の回線が接続されていれば、２つの２回路切替スイッチ２４を１２０Ω系に切り替え、７５Ω系の回線が接続されていれば、２つの２回路切替スイッチ２４を７５Ω系に切り替える。
【００３７】
１２０Ω系、７５Ω系共に回線が接続されていない場合は、一定周期で上記処理を繰り返す。この周期は固定でも可変できるようにしても良い。
【００３８】
このように本実施の形態の伝送路インタフェース１００によれば、接続される１２０Ω系の回線と７５Ω系の回線のうち、１２０Ω系の回線を扱い、ＬＩＵ２３には１２０Ω用のソフトウェアを設定し、７５Ω系の回線に対して、インピーダンス変換器２５Ａ、２５Ｂにてインピーダンス変換する。そして、接続される１２０Ω系の回線と７５Ω系の回線を切り替えて回線の接続の有無を判定し、接続された回線に伝送路を切り替える。
【００３９】
したがって、１２０Ω系の回線と７５Ω系の回線夫々に対してインタフェース基板を実装する必要がなく、１つのインタフェース基板で１２０Ω系と７５Ω系に対応でき、また選択した１つの回線のインピーダンスに統一するので、ＬＩＵ２３には、そのインピーダンスに見合ったソフトウェアのみ設定するだけで済み、従来技術と比べて大幅なコストダウンが図れるとともにソフトウェア設定ミスを犯すことがない。また、１つのインタフェース基板でインピーダンスが異なる複数の回線に対応できることから、回線の切り替えや障害発生等が発生しても短時間で復旧させることが可能となる。
【００４０】
なお、上記実施の形態の伝送路インタフェース１００においては、１２０Ω系回線を基準として、７５Ω系回線については１２０Ωに対応できるインピーダンス変換器２５Ａ、２５Ｂを用いたが、７５Ω系回線を基準としても良く、この場合１２０Ω系回線については７５Ωに対応できるインピーダンス変換器を用いれば良い。
【００４１】
また、上記実施の形態の伝送路インタフェース１００においては、１２０Ω系回線と７５Ω系回線の２つの回線に対応するものであったが、回線数に限定はなく任意であり、そのうちの１つを選択して、それのインピーダンスに応じたソフトウェアをＬＩＵ２３に設定すれば良い。
【００４２】
また、上記実施の形態の伝送路インタフェース１００は、携帯電話システムなどの移動体通信システムの基地局装置、あるいは信号の入出力用としてインピーダンスの異なる少なくとも２つの回線を接続可能な測定装置などに用いて好適である。
【産業上の利用可能性】
【００４３】
本発明は、従来技術と比べて大幅なコストダウンが図れ、またソフトウェアの設定ミスを犯すことがなく、また回線の切り替えや障害発生等が発生しても短時間で復旧させることが可能となるといった効果を有し、携帯電話システムなどの移動体通信システムの基地局装置、あるいは信号の入出力用としてインピーダンスの異なる少なくとも２つの回線を接続可能な測定装置などへの適用が可能である。
【図面の簡単な説明】
【００４４】
【図１】本発明の一実施の形態に係る伝送路インタフェースの概略構成を示すブロック図
【図２】従来の伝送路インタフェースの概略構成を示すブロック図
【符号の説明】
【００４５】
１４  パルストランス
１５  サージ保護回路
１６  ＲＪ４５コネクタ
１７Ａ、１７Ｂ  ＢＮＣコネクタ
２０  伝送路制御部
２１  受信レベル判定部
２２  伝送路切替制御部
２３  ＬＩＵ
２４  ２回路切替スイッチ
２５Ａ、２５Ｂ  インピーダンス変換器
３０  装置制御部
１００  伝送路インタフェース
【図１】
2006173719.tif 000003
【図２】
2006173719.tif 000004